(57)【特許請求の範囲】
【請求項１】
コンピュータが、
床暖房マットを敷設する住戸の間取り図をＰＤＦで表示する工程と、
予め記憶された大きさが異なる複数の前記床暖房マットのスタンプそれぞれに対応する複数のスタンプ名の中から一のスタンプ名の選択を受け付ける工程と、
前記一のスタンプ名の選択を受け付けた場合に、当該一のスタンプ名に対応する大きさのスタンプを前記間取り図の上に貼り付ける工程と、
を実行する作図方法。
【請求項２】
前記住戸の壁から貼り付けたスタンプまでの距離を入れる工程をさらに実行する請求項１に記載の作図方法。
【請求項３】
前記住戸の縦壁から貼り付けたスタンプまでの距離と、横壁から当該スタンプまでの距離とを入れる工程をさらに実行する請求項１に記載の作図方法。
【請求項４】
コンピュータに、
床暖房マットを敷設する住戸の間取り図をＰＤＦで表示する機能と、
予め記憶された大きさが異なる複数の前記床暖房マットのスタンプそれぞれに対応する複数のスタンプ名の中から一のスタンプ名の選択を受け付ける機能と、
受け付けた前記一のスタンプ名に対応する大きさのスタンプを前記間取り図の上に貼り付ける機能と、
を実行させるプログラム。
【請求項５】
前記住戸の壁から貼り付けたスタンプまでの距離を入れる機能をさらに実行させる請求項４に記載のプログラム。
【請求項６】
床暖房マットを敷設する住戸の間取り図をＰＤＦで表示する表示部と、
予め定められた複数の前記床暖房マットの大きさに対応する大きさの複数のスタンプを記憶する記憶部と、
前記記憶部に記憶された複数のスタンプに対応する複数のスタンプ名の中から選択された一のスタンプ名に対応する大きさのスタンプを前記表示部に表示された前記間取り図の上に貼り付ける処理を行う処理部と、
を備える作図装置。
【請求項７】
前記処理部は、前記住戸の壁から貼り付けたスタンプまでの距離を入れる処理を行う請求項６に記載の作図装置。
【発明の詳細な説明】
【技術分野】
【０００１】
本発明は、作図方法、プログラムおよび作図装置に関する。
【背景技術】
【０００２】
従来、ＣＡＤにおける住宅設計方法が提案されている。
例えば、特許文献１に記載された方法は、ＣＡＤの表示画面上で、住宅の建物形状と間取り図を描画し、当該描画された建物形状と間取り図における位置とその部位を指定する情報を入力して、部材情報データベースからその位置と部位に関して選択可能な候補を取り出して前記表示画面上に提示し、前記選択可能な候補に関する指定を入力し、前記指定された候補の設定あるいは候補の部材を、その位置あるいは部位に適用する。
【先行技術文献】
【特許文献】
【０００３】
【特許文献１】特許第４１３８１９３号公報
【発明の概要】
【発明が解決しようとする課題】
【０００４】
例えば、ガス温水冷暖房システム（以下、「ＴＥＳ」と称する場合がある。）の設計作業は、住宅のＣＡＤ図面を入手し、ＣＡＤの表示画面上で、住宅の建物形状と間取り図を描画し、ＣＡＤを用いて作業を行い、ＣＡＤ図面で提出するのが一般的である。
一方、ＰＤＦ（Portable Document Format）ファイルは、ユーザが操作するＰＣ（Personal Computer）等の端末装置の使用環境に左右されず、文章や画像のレイアウトが崩れることなく画面表示および印刷することができるため、広く利用されている。例えば、分譲マンションの販売用パンフレットの住戸間取り図にＰＤＦファイルが利用されている。そのため、この住戸間取り図への床暖房のプロット図作成作業においては、ＰＤＦの住戸間取り図に床暖房範囲を示すことが求められる。かかる場合には、ＰＤＦの住戸間取り図をＣＡＤデータへ変換する作業を行った後、ＣＡＤを用いて床暖房のプロット図を作成する必要がある。また、ＣＡＤを用いて床暖房のプロット図を作成した後に、作成した図面をＰＤＦへ変換する作業を行う必要がある。そのため、作業効率が悪い。
本発明は、ＰＤＦの住戸の間取り図に床暖房マットを作図する作業の効率を高めることができる作図方法等を提供することを目的とする。
【課題を解決するための手段】
【０００５】
かかる目的のもと完成させた本発明は、コンピュータが、床暖房マットを敷設する住戸の間取り図をＰＤＦで表示する工程と、予め記憶された大きさが異なる複数の前記床暖房マットのスタンプそれぞれに対応する複数のスタンプ名の中から一のスタンプ名の選択を受け付ける工程と、前記一のスタンプ名の選択を受け付けた場合に、当該一のスタンプ名に対応する大きさのスタンプを前記間取り図の上に貼り付ける工程と、を実行する作図方法である。
ここで、前記住戸の壁から貼り付けたスタンプまでの距離を入れる工程をさらに実行しても良い。
また、前記住戸の縦壁から貼り付けたスタンプまでの距離と、横壁から当該スタンプまでの距離とを入れる工程をさらに実行しても良い。
また、他の観点から捉えると、本発明は、コンピュータに、床暖房マットを敷設する住戸の間取り図をＰＤＦで表示する機能と、予め記憶された大きさが異なる複数の前記床暖房マットのスタンプそれぞれに対応する複数のスタンプ名の中から一のスタンプ名の選択を受け付ける機能と、受け付けた前記一のスタンプ名に対応する大きさのスタンプを前記間取り図の上に貼り付ける機能と、を実行させるプログラムである。
ここで、前記住戸の壁から貼り付けたスタンプまでの距離を入れる機能をさらに実行させても良い。
また、他の観点から捉えると、本発明は、床暖房マットを敷設する住戸の間取り図をＰＤＦで表示する表示部と、予め定められた複数の前記床暖房マットの大きさに対応する大きさの複数のスタンプを記憶する記憶部と、前記記憶部に記憶された複数のスタンプに対応する複数のスタンプ名の中から選択された一のスタンプ名に対応する大きさのスタンプを前記表示部に表示された前記間取り図の上に貼り付ける処理を行う処理部と、を備える作図装置である。
ここで、前記処理部は、前記住戸の壁から貼り付けたスタンプまでの距離を入れる処理を行っても良い。
【発明の効果】
【０００６】
本発明によれば、ＰＤＦの住戸の間取り図に床暖房マットを作図する作業の効率を高めることができる。
【図面の簡単な説明】
【０００７】
【図１】実施の形態に係る作図装置の構成の一例を示す図である。
【図２】スタンプの一例を示す図である。
【図３】表示部の表示画面に表示された間取り図の一例を示す図である。
【図４】表示制御部が表示部の表示画面に表示させた第１プルダウンメニュー、第２プルダウンメニューの一例である。
【図５】表示部の表示画面に表示された間取り図上に選択部により選択されたスタンプが表示された状態の一例を示す図である。
【図６】表示部の表示画面において、表示スタンプが移動させられている様子の一例を示す図である。
【図７】表示部の表示画面において、間取り図に表示スタンプが貼り付けられた状態の一例を示す図である。
【図８】作図作業を行う際のフローチャートの一例を示す図である。
【図９】表示部の表示画面において、間取り図に距離スタンプが貼り付けられた状態の一例を示す図である。
【図１０】表示部の表示画面に表示された間取り図上に敷設可能な領域を確認するための確認用スタンプが表示された状態の一例を示す図である。
【図１１】選定支援装置の構成の一例を示す図である。
【図１２】抽出部が行う抽出処理のフローチャートの一例を示す図である。
【図１３】床暖房マットと床暖房マットの単価との関係の一例を示す図である。
【図１４】表示部の表示画面に表示された比較表の一例を示す図である。
【図１５】表示部の表示画面に表示された比較表の一例を示す図である。
【発明を実施するための形態】
【０００８】
以下、添付図面を参照して、本発明の実施の形態について説明する。
図１は、実施の形態に係る作図装置１の構成の一例を示す図である。
作図装置１は、ＰＤＦの住戸の間取り図に、床暖房マットを敷設する範囲をＰＤＦのままプロット（描画）することを可能にする装置である。
【０００９】
作図装置１は、図１に示すように、制御部１０を備えている。制御部１０は、ＣＰＵ（Central Processing Unit）と、ＢＩＯＳ（Basic Input Output System）等のプログラムを格納する記憶領域であるＲＯＭ（Read Only Memory）と、プログラムの実行領域であるＲＡＭ（Random Access Memory）とを有している。
【００１０】
また、作図装置１は、ＯＳ（Operating System）やソフトウェア等の各種プログラム、各種プログラムに対する入力データ、各種プログラムからの出力データ等を記憶する記憶部２０を備えている。記憶部２０は、ＨＤＤ（Hard Disk Drive）や半導体メモリ等の記憶装置であることを例示することができる。記憶部２０は、ソフトウェアとして、ＰＤＦファイルを閲覧したり編集したりすることを可能とするアプリケーションを記憶している。
【００１１】
また、記憶部２０は、ＰＤＦファイルを記憶する。ＰＤＦファイルとしては、図、文書、表、画像等やそれらを組み合わせたものが記録されたＰＤＦの電子文書を指し、そのページ数も１ページに限らず複数ページであっても良い。本実施形態においては、記憶部２０は、分譲マンションの販売用パンフレットの住戸間取り図のＰＤＦファイルを記憶することを例示することができる。
【００１２】
また、作図装置１は、操作受付画面や画像の表示に使用される表示部３０と、ユーザの入力操作を受け付ける操作部４０と、外部装置との通信に用いられる通信部５０と、を備えている。
表示部３０は、液晶ディスプレイや有機ＥＬディスプレイであることを例示することができる。
操作部４０は、キーボード、マウス、タッチパネルであることを例示することができる。操作部４０がタッチパネルである場合には、当該タッチパネルは、操作部４０および表示部３０として機能する。
通信部５０は、通信インターフェース（通信Ｉ／Ｆ）であることを例示することができる。
作図装置１は、ノートＰＣ、デスクトップＰＣ、タブレットＰＣ、タブレット端末、携帯情報端末（ＰＤＡ）、多機能携帯電話（所謂「スマートフォン」）であることを例示することができる。
【００１３】
（記憶部２０）
図２は、スタンプの一例を示す図である。
記憶部２０は、予め定められた床暖房マットの大きさに対応する大きさの複数のスタンプを記憶する。より具体的には、図２に示すように、記憶部２０は、スタンプとして、予め定められた床暖房マットの大きさに応じた四角形を記憶している。図２に示した例においては、記憶部２０は、敷設可能な床暖房マットの縦の長さと横の長さとの組み合わせ毎に、当該縦の長さと横の長さの四角形に予め定められた値を乗算することにより得た大きさのスタンプを記憶している。予め定められた値は、分譲マンションの販売用パンフレットの間取り図に一般的に用いられる縮尺である、１／５０、１／７０、１／８０、１／１００であることを例示することができる。図２に示した例では、縦の長さおよび横の長さは、３００（ｍｍ）毎に設定されている。例えば、縦の長さ（ｍｍ）および横の長さ（ｍｍ）は、それぞれ、１８００、２１００、２４００、２７００、３０００のいずれかに設定されている。そして、記憶部２０は、例えば、縦の長さが２１００（ｍｍ）、横の長さが２４００（ｍｍ）の床暖房マットであって縮尺１／５０に応じたスタンプとして、縦の辺の長さが４２（ｍｍ）、横の辺の長さが４８（ｍｍ）の四角形を記憶している。
【００１４】
（制御部１０）
制御部１０は、表示部３０の表示画面３１に間取り図等を表示させる表示制御部１１と、記憶部２０に予め記憶された複数のスタンプの中から一のスタンプを選択する選択部１２と、選択部１２が選択したスタンプについてのスタンプ処理を行う処理部１３とを備えている。
【００１５】
《表示制御部１１》
図３は、表示部３０の表示画面３１に表示された間取り図の一例を示す図である。
表示制御部１１は、記憶部２０に記憶されたＰＤＦファイルを読み込み、表示部３０の表示画面３１に表示させる。例えば、表示制御部１１は、間取り図についてのＰＤＦファイルを読み込み、表示部３０の表示画面３１に、図３に示すように、当該間取り図をＰＤＦで表示させる。なお、表示制御部１１は、例えばネットワークにて接続されたサーバに記憶されたＰＤＦファイルであって通信部５０を介して取得したＰＤＦファイルを読み込み、表示部３０の表示画面３１に表示させても良い。
また、表示制御部１１は、選択部１２にて選択されたスタンプを表示部３０の表示画面３１に表示させる。この機能については後で詳述する。
【００１６】
《選択部１２》
図４は、表示制御部１１が表示部３０の表示画面３１に表示させた第１プルダウンメニュー６１、第２プルダウンメニュー６２の一例である。
選択部１２は、表示部３０の表示画面３１に表示された間取り図のＰＤＦ操作画面上で、複数のスタンプ名の中から一のスタンプ名が選択された場合に、複数のスタンプの中から当該一のスタンプ名に対応するスタンプを選択する。
【００１７】
より具体的には、ＰＤＦ操作画面上に表示されたスタンプアイコン７１が選択された場合に、表示制御部１１は、図４に示す第１プルダウンメニュー６１を表示画面３１に表示させる。その後、第１プルダウンメニュー６１の中から、床暖房マットのスタンプを選択可能な、「マットプロット用スタンプ」と記載された項目７２が選択された場合に、表示制御部１１は、第２プルダウンメニュー６２を表示画面３１に表示させる。
【００１８】
表示制御部１１は、第２プルダウンメニュー６２に、記憶部２０に記憶された複数のスタンプそれぞれに対応するスタンプ名の一覧を表示画面３１に表示させる。例えば、縦の長さが２１００（ｍｍ）、横の長さが２４００（ｍｍ）の床暖房マットに応じたスタンプのスタンプ名は、「２１２４」と名付けられている。
【００１９】
そして、第２プルダウンメニュー６２に表示された複数のスタンプ名の中から一のスタンプ名が選択された場合に、選択部１２は、複数のスタンプの中から一のスタンプ名に対応するスタンプを選択する。例えば、第２プルダウンメニュー６２に表示された複数のスタンプ名の中から、一のスタンプ名である「２１２４」が選択された場合には、選択部１２は、縦の長さが２１００（ｍｍ）、横の長さが２４００（ｍｍ）の床暖房マットに応じたスタンプを選択する。
【００２０】
なお、ＰＤＦ操作画面上における、各種スタンプ、アイコンおよび項目の選択とは、各種スタンプ、アイコンおよび項目の上にマウスカーソルを置くこと、あるいは、各種スタンプ、アイコンおよび項目をマウスでクリックすることであることを例示することができる。
【００２１】
図５は、表示部３０の表示画面３１に表示された間取り図上に選択部１２により選択されたスタンプが表示された状態の一例を示す図である。
選択部１２が一のスタンプを選択した場合、表示制御部１１は、選択部１２にて選択されたスタンプを表示部３０の表示画面３１に表示させる。以下の説明において、表示画面３１に表示されたスタンプを、「表示スタンプ７３」と称する場合がある。なお、表示制御部１１は、実際の住戸のサイズに予め定められた値を乗算することにより得た大きさの間取り図を１００％で表示しているときに、表示スタンプ７３を１００％で表示する。例えば、表示制御部１１は、１／５０サイズの間取り図を１００％で表示しているときに、縦の長さが２１００（ｍｍ）、横の長さが２４００（ｍｍ）の床暖房マットに応じたスタンプとして、縦の辺の長さが４２（ｍｍ）、横の辺の長さが４８（ｍｍ）の四角形を表示させる。
【００２２】
《処理部１３》
図６は、表示部３０の表示画面３１において、表示スタンプ７３が移動させられている様子の一例を示す図である。
図７は、表示部３０の表示画面３１において、間取り図に表示スタンプ７３が貼り付けられた状態の一例を示す図である。
処理部１３は、選択部１２が選択したスタンプであって表示部３０の表示画面３１に表示されたスタンプである表示スタンプ７３を貼る位置が決定された場合に、間取り図上において決定された位置に表示スタンプ７３のスタンプ処理を行う。貼る位置の決定は、図６に示すように、ＰＤＦ操作画面上で、間取り図上に表示された表示スタンプ７３にマウスカーソルが合わせられてマウスの所定のボタン（例えば左ボタン）が押された状態でマウスカーソルが移動させられ、その後、当該所定のボタンが押されなくなったときに表示されている位置に決定する。なお、スタンプ処理とは、ＰＤＦデータにスタンプのデータを合成する等して挿入する処理である。本実施形態においては、間取り図にスタンプを重ねる処理であることを例示することができる。言い換えれば、間取り図に床暖房マットのサイズに応じた四角形をプロットする（描く）処理である。
【００２３】
以上説明したように、作図装置１は、床暖房マットを敷設する住戸の間取り図をＰＤＦで表示する表示部３０と、予め定められた床暖房マットの大きさに対応する大きさの複数のスタンプを記憶する記憶部２０とを備える。また、作図装置１は、記憶部２０に記憶された複数のスタンプの中から選択されたスタンプを表示部３０に表示された間取り図の上に貼り付ける処理の一例としてのスタンプ処理を行う処理部１３を備える。
【００２４】
図８は、作図作業を行う際のフローチャートの一例を示す図である。
以上のように構成された作図装置１を用いて作図作業を行う際、ユーザは、床暖房マットを敷設する住戸の間取り図をＰＤＦで表示する（Ｓ８０１）。例えば、ユーザは、記憶部２０に記憶された複数のＰＤＦファイルの中から操作部を介して一のＰＤＦファイルを選択する。これにより、制御部１０の表示制御部１１は、選択された一のＰＤＦファイルを読み込み、図３に示すように、表示部３０の表示画面３１に間取り図を表示させる。
【００２５】
次に、ユーザは、予め登録された複数のスタンプそれぞれに対応する複数のスタンプ名の中から一のスタンプ名を選択する（Ｓ８０２）。例えば、ユーザは、表示画面３１に表示されたスタンプアイコン７１等を選択することにより表示された第２プルダウンメニュー６２に表示された複数のスタンプ名の中から一のスタンプ名を選択する。一のスタンプ名が選択された場合に、制御部１０の選択部１２は、予め登録された複数のスタンプの中から、一のスタンプ名に対応するスタンプを選択する。そして、表示制御部１１は、図５に示すように、選択部１２が選択したスタンプを表示画面３１に表示させる。
【００２６】
次に、ユーザは、表示画面３１に表示されたスタンプ（表示スタンプ７３）を、間取り図の上に貼り付ける（Ｓ８０３）。例えば、ユーザは、図５に示したＰＤＦ操作画面上で、間取り図上に表示されたスタンプにマウスカーソルを合わせ、マウスの所定のボタンを押した状態でマウスカーソルを移動し、床暖房マットを敷設する位置を決定し、当該所定のボタンの押下を止める。ユーザが所定のボタンの押下を止めた場合には、制御部１０の処理部１３は、押下を止めたときにスタンプが表示された位置にスタンプ処理を行う。
【００２７】
以上、説明したように、作図装置１を用いる作図方法は、床暖房マットを敷設する住戸の間取り図をＰＤＦで表示する工程（Ｓ８０１）と、予め記憶された複数の床暖房マットのスタンプそれぞれに対応する複数のスタンプ名の中から一のスタンプ名を選択する工程（Ｓ８０２）とを有する。また、床暖房マットプロット方法は、一のスタンプ名を選択したことに起因して表示される一のスタンプを間取り図の上に貼り付ける工程（Ｓ８０３）を有する。この方法により、ユーザは、ＰＤＦの間取り図に床暖房マットをプロットすることができる。これにより、ユーザは、ＰＤＦの間取り図をＣＡＤデータへ変換する作業を行うことなく床暖房マットを間取り図上にプロットすることができるので、作業効率を高めることができる。また、ＣＡＤを用いて設計を行う場合には、ＣＡＤのソフトウェアが必要になるとともに、ＣＡＤのオペレーターが必要になるので、コストが高くなるが、以上のように構成された装置を用いることで、ＣＡＤのソフトウェアやオペレーターが必要なくなるので、低廉にプロット作業を行うことができる。
なお、ユーザは、間取り図上に床暖房マットの敷設領域を示すスタンプをプロットしたＰＤＦを保存するための所定の操作（例えば「保存」ボタンの押下）を行うことで、記憶部２０に記憶させることが可能となる。
【００２８】
なお、ユーザは、Ｓ８０３にて表示スタンプ７３を間取り図の上に貼り付けた後に、住戸の縦壁（図３において上下方向に延びる壁）から、貼り付けた表示スタンプ７３までの距離と、横壁（図３において左右方向に延びる壁）から表示スタンプ７３のまでの距離とを入れても良い。
【００２９】
図９は、表示部３０の表示画面３１において、間取り図に距離スタンプ７４が貼り付けられた状態の一例を示す図である。
記憶部２０は、縦壁または横壁から床暖房マットまでの距離として予め定められた距離が記載された距離スタンプ７４を記憶しておく。予め定められた距離は、１００（ｍｍ）、１５０（ｍｍ）、２００（ｍｍ）、２５０（ｍｍ）、３００（ｍｍ）等であることを例示することができる。そして、ユーザは、表示スタンプ７３を間取り図の上に貼り付けた後に、縦壁または横壁と、表示スタンプ７３との間に距離スタンプ７４を貼り付けると良い。
あるいは、ユーザは、ＰＤＦのものさしツールを用いて、縦壁または横壁から表示スタンプ７３までの距離を記入しても良い。
【００３０】
なお、以上のように構成された作図装置１において、間取り図の縮尺として、１／５０、１／７０、１／８０、１／１００等、複数の縮尺が用いられる場合には、記憶部２０は、床暖房マットの一の大きさに対応するスタンプとして、複数の縮尺それぞれの大きさのスタンプを記憶すると良い。例えば、縦の長さが２１００（ｍｍ）、横の長さが２４００（ｍｍ）の床暖房マットに対応するスタンプとして、縮尺１／５０に対応する、縦の辺の長さが４２（ｍｍ）、横の辺の長さが４８（ｍｍ）の四角形と、縮尺１／７０に対応する、縦の辺の長さが３０（ｍｍ）、横の辺の長さが３４（ｍｍ）の四角形と、縮尺１／８０に対応する、縦の辺の長さが２６（ｍｍ）、横の辺の長さが３０（ｍｍ）の四角形と、縮尺１／１００に対応する、縦の辺の長さが２１（ｍｍ）、横の辺の長さが２４（ｍｍ）の四角形とを記憶すると良い。そして、第１プルダウンメニュー６１または第２プルダウンメニュー６２に、どの縮尺のスタンプであるかを表示すると良い。
【００３１】
次に、ユーザが選択する一のスタンプ名を決定する手法について説明する。
例えば、ユーザは、先ず、図３に示した、表示部３０の表示画面３１に表示された間取り図に記載された寸法を見ることにより、床暖房マットを敷設可能な領域の縦の長さ（ｍｍ）と横の長さ（ｍｍ）を把握する。その後、ユーザは、記憶部２０に記憶された複数のスタンプの内、敷設可能な領域の縦の長さ以下でありかつ横の長さ以下である床暖房マットに対応するスタンプ名に決定する。もし、敷設可能な領域の縦の長さ以下でありかつ横の長さ以下である床暖房マットが複数ある場合には、その中で最も大きな床暖房マットに決定することを例示することができる。
【００３２】
また、ユーザは、記憶部２０に記憶された複数のスタンプの内、敷設可能な領域の縦の長さから１０（ｍｍ）を減算した長さ以下であり、かつ、横の長さから１０（ｍｍ）を減算した長さ以下である床暖房マットに対応するスタンプ名に決定しても良い。そして、この条件を満たす床暖房マットが複数ある場合には、その中で最も大きな床暖房マットに決定することを例示することができる。
なお、ユーザは、床暖房マットを敷設可能な領域の縦の長さ（ｍｍ）と横の長さ（ｍｍ）を把握する際に、ＰＤＦのものさしツールを用いても良い。
【００３３】
図１０は、表示部３０の表示画面３１に表示された間取り図上に敷設可能な領域を確認するための確認用スタンプ７５が表示された状態の一例を示す図である。
記憶部２０は、図１０に示すような寸法が記入された確認用スタンプ７５を記憶しておく。間取り図の縮尺として、１／５０、１／７０、１／８０、１／１００等、複数の縮尺が用いられる場合には、記憶部２０は、確認用スタンプ７５として、複数の縮尺それぞれの大きさのスタンプを記憶すると良い。
【００３４】
そして、ユーザは、床暖房マットを敷設可能な領域に適合する床暖房マットの縦の長さ（ｍｍ）と横の長さ（ｍｍ）を把握する際、図１０に示すように、間取り図上に確認用スタンプ７５を表示すると良い。つまり、ユーザは、ＰＤＦ操作画面上に表示されたスタンプアイコン７１が選択された場合に表示される、図４に示す第１プルダウンメニュー６１の中の所定の項目を選択することにより表示される所定のプルダウンメニューの中の所定の項目を選択することにより確認用スタンプ７５を表示画面３１に表示させる。そして、ユーザは、ＰＤＦ操作画面上で、間取り図上に表示された確認用スタンプ７５にマウスカーソルを合わせてマウスの所定のボタン（例えば左ボタン）が押した状態でマウスカーソルを移動して、敷設可能な領域の寸法を測定可能な位置まで確認用スタンプ７５を移動して当該所定のボタンを押すことを止める。そして、確認用スタンプ７５に記入された寸法を見ることにより、床暖房マットの縦の長さ（ｍｍ）と横の長さ（ｍｍ）を把握すると良い。
【００３５】
また、ユーザは、以下に述べる、床暖房マットを敷設可能な領域に対して、予め大きさが定められた複数の床暖房マットの中から、どの床暖房マットを敷設するかを決定するのを支援する選定支援装置１００を用いて、一のスタンプ名を決定しても良い。
【００３６】
以下に、選定支援装置１００について説明する。
図１１は、選定支援装置１００の構成の一例を示す図である。
選定支援装置１００は、図１１に示すように、制御部１１０と、記憶部１２０と、表示部１３０と、操作部１４０と、通信部１５０と、を備えている。制御部１１０、記憶部１２０、表示部１３０、操作部１４０、および、通信部１５０は、それぞれ、作図装置１の、制御部１０、記憶部２０、表示部３０、操作部４０、通信部５０と同様であるのでその詳細な説明は省略する。
選定支援装置１００は、ノートＰＣ、デスクトップＰＣ、タブレットＰＣ、タブレット端末、携帯情報端末（ＰＤＡ）、多機能携帯電話（所謂「スマートフォン」）であることを例示することができる。
【００３７】
（記憶部１２０）
記憶部１２０は、予め定められた大きさの床暖房マットを記憶する。より具体的には、記憶部１２０は、図２に示したスタンプに対応する床暖房マットを記憶しており、床暖房マットの縦の長さ（ｍｍ）と横の長さ（ｍｍ）との組み合わせ毎に、複数の床暖房マットを記憶している。記憶部１２０は、縦の長さが３０００（ｍｍ）、横の長さが２４００（ｍｍ）の床暖房マット（以下、「３０２４マット」と称する場合がある。）を記憶している。また、記憶部１２０は、縦の長さが３０００（ｍｍ）、横の長さが１８００（ｍｍ）の床暖房マット（以下、「３０１８マット」と称する場合がある。）を記憶している。また、記憶部１２０は、縦の長さが２７００（ｍｍ）、横の長さが２７００（ｍｍ）の床暖房マット（以下、「２７２７マット」と称する場合がある。）を記憶している。また、記憶部１２０は、縦の長さが２７００（ｍｍ）、横の長さが２１００（ｍｍ）の床暖房マット（以下、「２７２１マット」と称する場合がある。）を記憶している。また、記憶部１２０は、縦の長さが２４００（ｍｍ）、横の長さが３０００（ｍｍ）の床暖房マット（以下、「２４３０マット」と称する場合がある。）を記憶している。また、記憶部１２０は、縦の長さが２４００（ｍｍ）、横の長さが２４００（ｍｍ）の床暖房マット（以下、「２４２４マット」と称する場合がある。）を記憶している。また、記憶部１２０は、縦の長さが２４００（ｍｍ）、横の長さが１８００（ｍｍ）の床暖房マット（以下、「２４１８マット」と称する場合がある。）を記憶している。また、記憶部１２０は、縦の長さが２１００（ｍｍ）、横の長さが３０００（ｍｍ）の床暖房マット（以下、「２１３０マット」と称する場合がある。）を記憶している。また、記憶部１２０は、縦の長さが２１００（ｍｍ）、横の長さが２４００（ｍｍ）の床暖房マット（以下、「２１２４マット」と称する場合がある。）を記憶している。なお、縦の長さは、床暖房マットのパイプ方向の長さであり、横の長さは、床暖房マットにおける小根太が配置されている方向の長さであることを例示することができる。
【００３８】
（制御部１１０）
制御部１１０は、ユーザによる操作部１４０を介した入力を受け付ける受付部１１１を備える。受付部１１１は、例えば、予め定められた入力欄に入力された値を、床暖房マットを敷設可能な領域における縦の長さおよび横の長さの入力として受け付ける。以下、入力された縦の長さ（ｍｍ）を「入力縦寸」、入力された横の長さ（ｍｍ）を「入力横寸」と称する場合がある。
【００３９】
また、制御部１１０は、予め記憶部１２０に記憶された複数の床暖房マットの中から、床暖房マットを敷設可能な領域に対して適用可能な床暖房マットまたは床暖房マットの組み合わせの候補を抽出する抽出部１１２を備える。
また、制御部１１０は、抽出部１１２が抽出した候補の床暖房マットまたは床暖房マットの組み合わせの見積もり額を算出する算出部１１３を備える。
また、制御部１１０は、表示部１３０の表示画面１３１に比較表等を表示させる表示制御部１１４を備える。
【００４０】
《抽出部１１２》
図１２は、抽出部１１２が行う抽出処理のフローチャートの一例を示す図である。
抽出部１１２は、受付部１１１が縦の長さ（ｍｍ）と、横の長さ（ｍｍ）との入力を受け付けた場合に抽出処理を開始する。
抽出部１１２は、先ず、縦の長さ（ｍｍ）と、横の長さ（ｍｍ）を把握する（Ｓ１２０１）。
次に、抽出部１１２は、記憶部１２０に記憶された複数の床暖房マットの中から、一の床暖房マットを選択する（Ｓ１２０２）。そして、抽出部１１２は、Ｓ１２０２にて抽出した一の床暖房マットの縦の長さが入力縦寸以下であるとともに横の長さを入力横寸以下である、という長さ条件を満たすか否かを判定する（Ｓ１２０３）。
【００４１】
長さ条件を満たす場合（Ｓ１２０３でＹＥＳ）、抽出部１１２は、候補になり得る床暖房マットとして決定する（Ｓ１２０４）。そして、候補になり得る床暖房マットとして選択した後、および、長さ条件を満たさない場合（Ｓ１２０３でＮＯ）、抽出部１１２は、記憶部１２０に記憶された複数の床暖房マット全てをＳ１２０２にて選択したか否かを判定する（Ｓ１２０５）。選択していない場合（Ｓ１２０５でＮＯ）、抽出部１１２は、Ｓ１２０２以降の処理を行う。
【００４２】
全てを選択した場合（Ｓ１２０５でＹＥＳ）、Ｓ１２０４にて決定された床暖房マット、および、Ｓ１２０４にて決定された床暖房マットを組み合わせた組み合わせの内、予め定められた選定条件を満たすものを抽出する（Ｓ１２０６）。
選定条件は、縦の長さが入力縦寸以下であり、かつ、横の長さが入力横寸以下であるとともに、敷設率が、６０％以上、１００％以下であることを例示することができる。敷設率は、より好ましくは、７０％以上、９０％以下であることを例示することができる。ただし、敷設率は、その他の値であっても良い。
敷設率は、床暖房マットが１枚である場合には以下の式（１）で算出される値であり、複数の床暖房マットの組み合わせである場合には以下の式（２）で算出される値である。
（床暖房マットの面積）／（入力縦寸×入力横寸）×１００（％）・・・（１）
（複数の床暖房マットの面積の合計）／（入力縦寸×入力横寸）×１００（％）・・・（２）
なお、同じ床暖房マットを組み合わせても良い。
【００４３】
（ａ）例えば、入力縦寸が２５００（ｍｍ）、入力横寸が２５００（ｍｍ）である場合を考える。
抽出部１１２は、Ｓ１２０４の処理において、３０２４マット、３０１８マット、２７２７マット、２７２１マットを、候補になり得る床暖房マットとして決定しない。縦の長さが入力縦寸よりも長いからである。また、抽出部１１２は、Ｓ１２０４の処理において、２４３０マット、２１３０マットを、候補の床暖房マットとして決定しない。横の長さが入力横寸よりも長いからである。そして、抽出部１１２は、Ｓ１２０４の処理において、２４２４マット、２４１８マット、２１２４マットを、候補になり得る床暖房マットとして決定する。
【００４４】
抽出部１１２は、Ｓ１２０６の処理において、Ｓ１２０４の処理にて候補の床暖房マットとして決定した２４２４マット、２４１８マット、２１２４マットそれぞれの敷設率を、式（１）を用いて算出する。そして、抽出部１１２は、敷設率が６０％以上１００％以下であるものを抽出する。２４２４マット、２４１８マット、２１２４マットの敷設率は、それぞれ、９２．１％、６９．１％、８０．６％であることから、抽出部１１２は、２４２４マット、２４１８マット、２１２４マットを、選定条件を満たす床暖房マットとして抽出する。
なお、抽出部１１２は、Ｓ１２０６の処理において、Ｓ１２０４の処理にて候補になり得る床暖房マットとして決定した２４２４マット、２４１８マット、２１２４マットをどのように組み合わせても、縦の長さの合計が入力縦寸よりも長くなるか、または、横の長さの合計が入力横寸よりも長くなるため、複数の床暖房マットの組み合わせを抽出しない。
【００４５】
（ｂ）例えば、入力縦寸が２５００（ｍｍ）、入力横寸が５０００（ｍｍ）である場合を考える。
抽出部１１２は、Ｓ１２０４の処理において、３０２４マット、３０１８マット、２７２７マット、２７２１マットを、候補になり得る床暖房マットとして決定しない。縦の長さが入力縦寸よりも大きいからである。そして、抽出部１１２は、Ｓ１２０４の処理において、２４３０マット、２４２４マット、２４１８マット、２１３０マット、２１２４マットを、候補になり得る床暖房マットとして決定する。
【００４６】
抽出部１１２は、Ｓ１２０６の処理において、Ｓ１２０４の処理にて候補になり得る床暖房マットとして決定した２４３０マット、２４２４マット、２４１８マット、２１３０マット、２１２４マットそれぞれの敷設率を、式（１）を用いて算出する。そして、抽出部１１２は、敷設率が７０％以上９０％以下であるものを抽出する。なお、上記（ａ）の場合においては、抽出部１１２が、敷設率が６０％以上１００％以下であるものを抽出した例を示したが、（ｂ）の場合においては、抽出部１１２が、敷設率が７０％以上９０％以下であるものを抽出する例を示す。
２４３０マット、２４２４マット、２４１８マット、２１３０マット、２１２４マットの敷設率は、それぞれ、５７．６％、４６．０％、３４．５％、５０．４％、４０．３％であることから、抽出部１１２は、これらの床暖房マット１枚のみを選定条件を満たす床暖房マットとして抽出しない。
【００４７】
抽出部１１２は、Ｓ１２０６の処理において、Ｓ１２０４の処理にて候補になり得る床暖房マットとして決定した５つの床暖房マットの内の２つの床暖房マットから構成される以下の組み合わせを、選定条件を満たす床暖房マットの組み合わせとして抽出しない。縦の長さの合計が入力縦寸よりも長くなるか、または、横の長さの合計が入力横寸よりも長くなるためである。つまり、２４３０マットと２４３０マット、２４３０マットと２４２４マット、２４３０マットと２１３０マット、２４３０マットと２１２４マット、２４２４マットと２１３０マット、２１３０マットと２１３０マット、２１３０マットと２１２４マットの組み合わせを抽出しない。
【００４８】
また、抽出部１１２は、Ｓ１２０６の処理において、Ｓ１２０４の処理にて候補になり得る床暖房マットとして決定した５つの床暖房マットの内の３つの床暖房マットから構成される組み合わせを、選定条件を満たす床暖房マット組として抽出しない。縦の長さの合計が入力縦寸よりも長くなるか、または、横の長さの合計が入力横寸よりも長くなるためである。
【００４９】
抽出部１１２は、Ｓ１２０６の処理において、Ｓ１２０４の処理にて候補になり得る床暖房マットとして決定した５つの床暖房マットの内の２つの床暖房マットから構成される組み合わせの内、残りの組み合わせの敷設率を、式（２）を用いて算出する。そして、抽出部１１２は、敷設率が７０％以上９０％以下であるものを抽出する。２４３０マットと２４１８マット、２４２４マットと２４２４マットの組み合わせの敷設率は、それぞれ、９２．１％、９２．０％であることから、抽出部１１２は、これらの組み合わせを抽出しない。また、２４１８マットと２４１８マットの組み合わせの敷設率は、６９．０％であることから、抽出部１１２は、この組み合わせを抽出しない。他方、２４２４マットと２４１８マット、２４２４マットと２１２４マット、２４１８マットと２１３０マット、２４１８マットと２１２４マット、２１２４マットと２１２４マットの組み合わせの敷設率は、それぞれ、８０．５％、８６．３％、８４．９％、７４．８％、８０．６％であることから、抽出部１１２は、これらの組み合わせを抽出する。
【００５０】
図１３は、床暖房マットと床暖房マットの単価との関係の一例を示す図である。
算出部１１３は、図１３に示すように記憶部１２０に記憶された床暖房マットと床暖房マットの単価との関係を用いて、抽出部１１２が抽出した候補の床暖房マットまたは床暖房マットの組み合わせの見積もり額を算出する。例えば、上記（ａ）の場合、抽出部１１２が、２４１８マット１枚と、２１２４マット１枚との、２通りを抽出していることから、算出部１１３は、２４１８マット、２１２４マットそれぞれの単価をそのまま見積もり額として算出する。また、上記（ｂ）の場合、抽出部１１２が、２４２４マットと２４１８マット、２４２４マットと２１２４マット、２４１８マットと２１３０マット、２４１８マットと２１２４マット、２１２４マットと２１２４マットの組み合わせの５通りを抽出していることから、算出部１１３は、５通りの組み合わせそれぞれの見積もり額を算出する。その際、算出部１１３は、組み合わされた２枚の床暖房マットの単価を加算することにより得た値を見積もり額として算出する。
【００５１】
表示制御部１１４は、算出部１１３が算出した見積もり額を表示部１３０の表示画面に表示させる。その際、表示制御部１１４は、抽出部１１２が複数の見積もり額を抽出している場合には、これらの見積もり額を比較可能に表示させる。また、表示制御部１１４は、複数の見積もり額それぞれに対応する敷設率を表示させる。
【００５２】
図１４、図１５は、表示部１３０の表示画面１３１に表示された比較表の一例を示す図である。図１４は、上記（ａ）の場合の比較表であり、図１５は、上記（ｂ）の場合の比較表である。
図１４に示すように、表示制御部１１４は、抽出部１１２が抽出した、２４２４マット１枚、２４１８マット１枚、２１２４マット１枚それぞれを、候補１、候補２、候補３として表示させるとともに、それぞれの候補の敷設率と算出部１１３が算出した見積もり額を表示させる。
【００５３】
また、図１５に示すように、表示制御部１１４は、抽出部１１２が抽出した、５通りの組み合わせである、２４２４マットと２４１８マット、２４２４マットと２１２４マット、２４１８マットと２１３０マット、２４１８マットと２１２４マット、２１２４マットと２１２４マットを、それぞれ、候補１、候補２、候補３、候補４、候補５として表示させる。また、表示制御部１１４は、それぞれの候補の敷設率の合計を合計敷設率として表示させ、算出部１１３が算出した見積もり額の合計を見積もり額として表示させる。
【００５４】
以上説明したように選定支援装置１００は、縦および横の長さの入力を受け付ける受付部１１１と、予め記憶された複数の床暖房マットの中から、受付部１１１が受け付けた縦および横の長さに基づく広さに適用可能な当該床暖房マットまたは当該床暖房マットの組み合わせの候補を抽出する抽出部１１２とを備える。これにより、ユーザは、床暖房マットを敷設可能な領域に対して、予め記憶された複数の床暖房マットの中から、どの床暖房マットまたは床暖房マットの組み合わせを用いることが可能かを漏れなくかつ素早く把握することができる。
【００５５】
また、選定支援装置１００は、抽出部１１２が抽出した候補の床暖房マットまたは床暖房マットの組み合わせの見積もり額を算出する算出部１１３を備える。これにより、ユーザは、候補の床暖房マットまたは床暖房マットの組み合わせが予算内であるか否かを確認した後に、最終的に設置する床暖房マットまたは床暖房マットの組み合わせを選定することができる。
【００５６】
また、抽出部１１２は、複数の候補を抽出し、算出部１１３は、複数の候補それぞれの見積もり額を算出する。これにより、ユーザは、複数の候補の中から、例えば最も安い床暖房マットまたは床暖房マットの組み合わせを、最終的に設置する床暖房マットまたは床暖房マットの組み合わせとして選定することができる。
さらに、算出部１１３は、複数の候補それぞれの敷設率を算出する。これにより、ユーザは、複数の候補の中から、見積もり額と敷設率とを考慮して、最終的に設置する床暖房マットまたは床暖房マットの組み合わせを選定することができる。
【００５７】
また、選定支援装置１００は、抽出部１１２が抽出した複数の候補の内の一の候補と当該一の候補の見積もり額との組み合わせを、図１４、図１５に示すように、当該複数の候補の内の他の候補と当該他の候補の見積もり額との組み合わせと比較可能に表示する表示部１３０をさらに備える。これにより、ユーザは、複数の候補の良し悪しを把握し易くなるので、最終的に設置する床暖房マットまたは床暖房マットの組み合わせを容易に選定することができる。また、例えば地場の工務店で働く者は、床暖房を設置しようとする顧客に対して表示部１３０に表示された比較表を見せながら、床暖房マットの仕様を選定することができる。
【００５８】
そして、ユーザは、上述するようにして決定した最終的に設置する床暖房マットまたは床暖房マットの組み合わせに対応するスタンプ名に決定すると良い。例えば、ユーザは、上記（ａ）の場合に、図１４に示す候補２の２１２４マットを選定し、２１２４マットに対応するスタンプ名に決定すると良い。
【００５９】
なお、表示制御部１１４は、図１４、図１５に示した比較表とともに、あるいは、比較表の一部に、候補の床暖房マットまたは床暖房マットの組み合わせを間取り図上にプロットした図を表示させても良い。
また、表示制御部１１４は、図１５に示した比較表のように、複数の床暖房マットの組み合わせを複数の候補として表示する場合に、床暖房マット毎に色分けして表示すると良い。例えば、「２４２４マット」を緑色のフォントで示し、「２４１８マット」を黄色のフォントで示し、「２１３０マット」を青色のフォントで示し、「２１２４マット」を紫色のフォントで示すと良い。また、フォントの色を異ならせるとともに、あるいは、フォントの色を異ならせる代わりに、ハイライトの色を異ならせても良い。これにより、ユーザに、比較し易くすることができる。
【００６０】
また、記憶部１２０が記憶する、床暖房マットの大きさや単価等の情報は、例えば選定支援装置１００とネットワークにて接続された他の装置（例えばデータベースサーバ）に記憶されていても良い。そして、制御部１１０は、他の装置から床暖房マットの情報を取得して、候補を抽出したり、見積もり額を算出したりしても良い。
【００６１】
また、上述した作図装置１は、選定支援装置１００が有する機能を有していても良い。例えば、作図装置１の制御部１０は、選定支援装置１００の制御部１１０が有する、受付部１１１、抽出部１１２、算出部１１３および表示制御部１１４を有していても良い。また、作図装置１の記憶部２０は、選定支援装置１００の記憶部１２０が記憶する３０２４マット等を記憶していても良い。これにより、ユーザは、同じ端末で、表示制御部１１４が表示させた比較表を見ながら、床暖房マット床暖房マットのプロット作業を行うことができる。
【００６２】
また、制御部１０のＣＰＵによって実行されるプログラムは、磁気記録媒体（磁気テープ、磁気ディスク等）、光記録媒体（光ディスク等）、光磁気記録媒体、半導体メモリ等のコンピュータが読取可能な記録媒体に記憶した状態で提供し得る。また、インターネット等の通信手段を用いてダウンロードされても良い。
【００６３】
そして、本発明を構成するプログラムは、作図装置１に、床暖房マットを敷設する住戸の間取り図をＰＤＦで表示する機能と、予め記憶された複数の前記床暖房マットのスタンプそれぞれに対応する複数のスタンプ名の中から一のスタンプ名の選択を受け付ける機能と、受け付けた前記一のスタンプ名に対応するスタンプを前記間取り図の上に貼り付ける機能と、を実行させる。
【符号の説明】
【００６４】
１…作図装置、１０…制御部、１１…表示制御部、１２…選択部、１３…処理部、２０…記憶部、３０…表示部、３１…表示画面、４０…操作部、７３…表示スタンプ、７４…距離スタンプ、７５…確認用スタンプ、１００…選定支援装置、１１０…制御部、１１１…受付部、１１２…抽出部、１１３…算出部、１１４…表示制御部、１２０…記憶部、１３０…表示部、１４０…操作部
【要約】
【課題】ＰＤＦの住戸の間取り図に床暖房マットを作図する作業の効率を高めることができる技術を提供する。
【解決手段】床暖房マットを敷設する住戸の間取り図をＰＤＦで表示する工程（Ｓ８０１）と、予め記憶された複数の床暖房マットのスタンプそれぞれに対応する複数のスタンプ名の中から一のスタンプ名を選択する工程（Ｓ８０２）と、一のスタンプ名を選択したことに起因して表示される一のスタンプを間取り図の上に貼り付ける工程（Ｓ８０３）と、を有する。
【選択図】図８【図１】
0006937446.tif 000002
【図２】
0006937446.tif 000003
【図３】
0006937446.tif 000004
【図４】
0006937446.tif 000005
【図５】
0006937446.tif 000006
【図６】
0006937446.tif 000007
【図７】
0006937446.tif 000008
【図８】
0006937446.tif 000009
【図９】
0006937446.tif 000010
【図１０】
0006937446.tif 000011
【図１１】
0006937446.tif 000012
【図１２】
0006937446.tif 000013
【図１３】
0006937446.tif 000014
【図１４】
0006937446.tif 000015
【図１５】
0006937446.tif 000016